(57)【要約】【課題】  有料スキャンジョブにおいて、ユーザが料金を支払うことなくスキャン画像データを利用することをできなくするとともに、料金を支払ったユーザがスキャン画像データを利用できない状態を防ぐことができる画像処理装置及び方法を提供する。【解決手段】  有料スキャンジョブを実行する画像処理装置２０１は、画像読み取り装置１０７で原稿をスキャンして画像データを生成し、それをパスワードを用いて暗号化し、外部記憶装置１０５に格納する。次いで、有料スキャンジョブの対価について課金装置１０８が課金処理を実行する。そして、課金処理が実行された後に、外部記憶装置１０５に格納された暗号化された画像データを復号時に使用されるパスワードを印刷装置１０６で印刷出力する。【選択図】  図１
2007020155.tif 000002
【特許請求の範囲】
【請求項１】
有料スキャンジョブを実行する画像処理装置であって、
原稿をスキャンしてデータを生成するデータ生成手段と、
前記データを暗号化して暗号化データを生成する暗号化手段と、
前記暗号化データが所定の格納先に格納された後に、前記有料スキャンジョブの対価について課金処理を実行する課金手段と、
前記課金処理が実行された後に、前記格納先に格納された前記暗号化データの復号時に必要な情報を出力する出力手段と
を備えることを特徴とする画像処理装置。
【請求項２】
前記暗号化データを前記所定の格納先に格納する格納手段をさらに備えることを特徴とする請求項１に記載の画像処理装置。
【請求項３】
前記格納手段による前記暗号化データの前記格納先への格納が正常に行われたか否かを判断する第１の判断手段をさらに備え、
前記課金手段は、前記暗号化データが前記格納先に正常に格納された後に、前記有料スキャンジョブの対価について課金処理を実行する
ことを特徴とする請求項２に記載の画像処理装置。
【請求項４】
前記格納手段によって前記暗号化データが格納される前記格納先が該暗号化データを格納し得る容量を有しているか否かを判断する第２の判断手段をさらに備え、
前記格納手段は、前記格納先が前記暗号化データを格納し得る容量を有している場合に、該暗号化データを格納する
ことを特徴とする請求項２又は３に記載の画像処理装置。
【請求項５】
前記出力手段が、前記情報を記録媒体上に印刷して出力することを特徴とする請求項１から４までのいずれか１項に記載の画像処理装置。
【請求項６】
前記格納手段が、前記暗号化データを前記画像処理装置に着脱可能な記憶媒体に格納することを特徴とする請求項２から５までのいずれか１項に記載の画像処理装置。 
【請求項７】
前記格納手段による前記記憶媒体への前記暗号化データの格納が正常に行われる前に該記憶媒体が前記画像処理装置から取り外された場合に警告を行う警告手段をさらに備え、
前記出力手段は、前記記憶媒体の取り外しによって前記暗号化データの格納が正常に行われなかった場合に、前記情報の出力を禁止する
ことを特徴とする請求項６に記載の画像処理装置。
【請求項８】
前記格納手段が、前記暗号化データを前記画像処理装置とネットワークを介して接続された外部装置が管理する格納先に格納することを特徴とする請求項２から５までのいずれか１項に記載の画像処理装置。
【請求項９】
前記格納手段による前記外部装置が管理する前記格納先への前記暗号化データの格納が正常に行われる前に前記外部装置とのネットワーク接続が切断された場合に警告を行う警告手段をさらに備え、
前記出力手段は、前記外部装置とのネットワーク接続が切断されたことによって前記暗号化データの格納が正常に行われなかった場合に、前記情報の出力を禁止する
ことを特徴とする請求項８に記載の画像処理装置。
【請求項１０】
有料スキャンジョブを実行する画像処理方法であって、
原稿をスキャンしてデータを生成するデータ生成工程と、
前記データを暗号化して暗号化データを生成する暗号化工程と、
前記暗号化データが所定の格納先に格納された後に、前記有料スキャンジョブの対価について課金処理を実行する課金工程と、
前記課金処理が実行された後に、前記格納先に格納された前記暗号化データの復号時に必要な情報を出力する出力工程と
を有することを特徴とする画像処理方法。
【請求項１１】
有料スキャンジョブを実行する画像処理装置に、
原稿をスキャンしてデータを生成させるデータ生成手順と、
前記データを暗号化して暗号化データを生成させる暗号化手順と、
前記暗号化データが所定の格納先に格納された後に、前記有料スキャンジョブの対価について課金処理を実行させる課金手順と、
前記課金処理が実行された後に、前記格納先に格納された前記暗号化データの復号時に必要な情報を出力させる出力手順と
を実行するためのプログラム。
【請求項１２】
請求項１１に記載のプログラムを格納したことを特徴とするコンピュータ読み取り可能な記憶媒体。
【発明の詳細な説明】
【技術分野】
【０００１】
本発明は、有料スキャンジョブを実行するデジタル複合機等の画像処理装置及びその方法、プログラム及び記憶媒体に関する。
【背景技術】
【０００２】
近年、インターネットやＬＡＮ等のネットワークに接続されて利用される、スキャナ機能やプリンタ機能を備えたデジタル複合機の利用が普及してきている。このようなデジタル複合機は、オフィス内での利用だけにとどまらず、コンビニエンスストアや学校等の公共のスペースにおいてもその利用が進んできている。
【０００３】
一般に、公共スペースに設置されたデジタル複合機には、ユーザがコピーやプリント（印刷）を実行させる際に支払う料金を直接当該ユーザから徴収するために、コピー処理や印刷処理の実行に対して課金を行う課金装置が備わっている。また、これらの機能に加え、最近のデジタル複合機には、スキャン処理の実行処理そのものに対して課金を行う機能も備えられつつある（例えば、特許文献１、２参照）。
【０００４】
このような有料スキャンジョブを実行するデジタル複合機では、スキャンされた画像データの保存先として、コンパクトフラッシュ（登録商標）等のメモリメディアやネットワークを介して接続されたコンピュータのハードディスク等を利用できる。
【特許文献１】特開２００３−２４４３４９号公報
【特許文献２】特開２００２−３３０２５３号公報
【発明の開示】
【発明が解決しようとする課題】
【０００５】
しかしながら、デジタル複合機に着脱可能かつ可搬なメモリメディアや、接続された外部コンピュータのハードディスク等にスキャン画像データを格納した後に料金を引き落とす構成を備えるデジタル複合機では問題がある。それは、スキャン画像データの格納中にメモリメディアを引き抜かれたり、外部コンピュータとのネットワーク接続を切断される等の行為により、スキャン処理に伴う料金を正確に徴収できないことである。また、スキャン処理が終了した後であってスキャン画像データの格納前に料金を引き落とす方法では、スキャン画像データの格納先の容量不足があった場合に、ユーザがスキャン画像データを得ることなく料金のみが徴収されてしまうことがある。
【０００６】
本発明は、上記事情を鑑みてなされたもので、有料スキャンジョブにおいて、ユーザが料金を支払うことなくスキャン画像データを利用することをできなくするとともに、料金を支払ったユーザがスキャン画像データを利用できない状態を防ぐことを目的とする。
【課題を解決するための手段】
【０００７】
上記課題を解決するために、本発明は、有料スキャンジョブを実行する画像処理装置であって、
原稿をスキャンしてデータを生成するデータ生成手段と、
前記データを暗号化して暗号化データを生成する暗号化手段と、
前記暗号化データが所定の格納先に格納された後に、前記有料スキャンジョブの対価について課金処理を実行する課金手段と、
前記課金処理が実行された後に、前記格納先に格納された前記暗号化データの復号時に必要な情報を出力する出力手段と
を備えることを特徴とする。
【０００８】
また、上記課題を解決するために、本発明は、有料スキャンジョブを実行する画像処理方法であって、
原稿をスキャンしてデータを生成するデータ生成工程と、
前記データを暗号化して暗号化データを生成する暗号化工程と、
前記暗号化データが所定の格納先に格納された後に、前記有料スキャンジョブの対価について課金処理を実行する課金工程と、
前記課金処理が実行された後に、前記格納先に格納された前記暗号化データの復号時に使用される必要な情報を出力する出力工程と
を有することを特徴とする。
【発明の効果】
【０００９】
本発明によれば、有料スキャンジョブにおいて、ユーザが料金を支払うことなくスキャン画像データを利用することをできなくするとともに、料金を支払ったユーザがスキャン画像データを利用できない状態を防ぐことができる。
【発明を実施するための最良の形態】
【００１０】
以下、図面を参照して、本発明の一実施形態に係る画像処理装置を用いた画像処理について詳細に説明する。
【００１１】
図１は、本発明の一実施形態に係るデジタル複合機等の画像処理装置のハードウェア構成を示すブロック図である。本実施形態に係る画像処理装置は、図１に示すように、中央処理装置１０１、主記憶装置１０２、表示装置１０３、入力装置１０４、外部記憶装置１０５を有する。また更に、印刷装置１０６、画像読み取り装置１０７、課金装置１０８、ネットワーク装置１０９、電子メール装置１１０及びファクシミリ装置１１１を有する。
【００１２】
中央処理装置１０１は、主記憶装置１０２、表示装置１０３、入力装置１０４、外部記憶装置１０５、印刷装置１０６、画像読み取り装置１０７、課金装置１０８、ネットワーク装置１０９、電子メール装置１１０及びファクシミリ装置１１１を制御する。また四則演算、論理演算を受け持っている。
【００１３】
主記憶装置１０２は、本実施形態に係る画像処理装置が各種画像処理を行う上で必要な情報を記憶し、必要に応じて取り出すことができる。表示装置１０３は、図形や文字、スキャン画像データ等の処理結果を表示したり、警告表示や各種通知等のユーザへの報知画面を表示するものであり、ＣＲＴや液晶等で実現される。また、入力装置１０４は、中央処理装置１０１に対する各種入力を行うものであり、例えば、キーボードやマウス、カードリーダ等で実現される。また、入力装置１０４は、ＣＲＴや液晶等の表示装置１０３に対してタッチパネル機能を付加して実現するようにしてもよい。
【００１４】
外部記憶装置１０５は、暗号化されたスキャン画像データやその他の情報を記憶するものであって、例えば、磁気記憶装置、光磁気記憶装置、或いは画像処理装置に対して着脱可能であり可搬なメモリメディア等のリムーバブルメディア等を用いることができる。
【００１５】
印刷装置１０６は、図形や文字、画像等の処理結果を紙等の記録媒体上に印刷する。尚、後述するように、本実施形態では、暗号化されたスキャン画像データを復号する際に必要となる補助情報であるパスワードを当該印刷装置１０６で印刷出力する。また、画像読み取り装置１０７は、紙原稿に形成されているイメージ情報等をスキャンして電子情報に変換する。尚、読み取られたスキャン画像データはパスワードを用いて暗号化される。課金装置１０８は、本実施形態に係る画像処理装置内の各装置で行われるコピー処理、印刷処理、スキャン処理等の有料ジョブの実行に対する対価として所定の料金の課金処理を行う。
【００１６】
ネットワーク装置１０９は、インターネットやＬＡＮ等のネットワークを介して接続された外部コンピュータと本画像処理装置とを接続して、互いにデータ通信を可能にするものである。電子メール装置１１０は、ネットワークを介して外部との電子メールの送受信機能を有する。また、ファクシミリ装置１１１は、図２に示すように公衆回線（ＷＡＮ）２０４を介して外部とのファクシミリ送受信機能を有する。
【００１７】
図２は、本発明の一実施形態に係る画像処理装置が接続されたネットワーク上に構築された画像処理システムのハードウェア構成を示すブロック図である。本実施形態では、図１に細部構成が示された画像処理装置２０１で読み取られた画像データを暗号化してサーバ装置２０２に送信し、サーバ装置２０２の外部記憶装置に保存するといった処理を行うものとする。尚、サーバ装置２０２の外部記憶装置としては、当該サーバ装置２０２のハードディスク（ＨＤＤ）や当該サーバ装置２０２に対して着脱可能であって可搬なメモリメディア等のリムーバブルメディア等がある。
【００１８】
図３は、本発明の一実施形態に係る画像処理装置を用いて有料スキャンジョブを行う際の動作手順について説明するためのフローチャートである。
【００１９】
まず、ユーザが画像読み取り装置１０７に対して原稿のスキャンを指示すると、画像読み取り装置１０７は当該原稿のスキャンを実行する（ステップＳ３０１）。次に、中央処理装置１０１は、原稿をスキャンすることによって生成した画像データを暗号化するためのパスワードを生成する（ステップＳ３０２）。本実施形態では、一例としてネットワーク装置１０９のＭＡＣアドレスと画像データを生成した年月日時分秒に基づいてパスワードを生成するものとするが、これだけに限られることはない。
【００２０】
次に、中央処理装置１０１は、スキャン画像データをステップＳ３０２で生成したパスワードを用いて暗号化する（ステップＳ３０３）。尚、本実施形態では、暗号化処理を行うためのアルゴリズムとしてＲＳＡ社のＲＣ４等を利用し、生成されたパスワードを入力して暗号化する。
【００２１】
次に、中央処理装置１０１は、ネットワーク２０３を介して接続されたサーバ装置２０２の外部記憶装置に暗号化した画像データを格納するために十分な容量があるかどうかを判断する（ステップＳ３０４）。本実施形態では、サーバ装置２０２の外部記憶装置として、ユーザが用意したリムーバブルメディアを利用するものとし、その空き容量と暗号化されたスキャン画像データのデータ量とを比較して、当該スキャン画像データが格納可能であるかどうかを判断する。その結果、当該外部記憶装置にスキャン画像データを格納するための容量が十分あると判断した場合（Ｙｅｓ）には、中央処理装置１０１はネットワーク装置１０９に対して、暗号化した画像データをサーバ装置２０２に送信させる。送信された画像データは、サーバ装置２０２の外部記憶装置に保存（格納）させる（ステップＳ３０５）。
【００２２】
一方、ステップＳ３０４において、スキャン画像データのデータ量が大きく、サーバ装置２０２の外部記憶装置に格納することができないと判断した場合（Ｎｏ）には、中央処理装置１０１は、ユーザに対してその旨を通知し（Ｓ３１１）、本処理を終了する。尚、ユーザへの通知手段としては、例えば、表示装置１０３を利用して画面上にユーザのリムーバルメディアでは格納できない旨を表示したり、音声によってユーザの用意したリムーバルメディアでは格納できない旨を通知することができる。この際、ユーザがリムーバルメディアを新たに交換した場合は、再度ステップＳ３０４の判断処理に戻って、同様の判断を行うようにしてもよい。尚、上記動作は、画像処理装置２０１内の外部記憶装置１０５にスキャン画像データを格納する場合であっても同様の手順で行われる。
【００２３】
なお、ステップＳ３０４において、スキャン画像データのデータ量が、リムーバブルメディアの記憶格納可能領域の容量よりも大きい場合は、スキャン画像データをリムーバブルメディアに保存させないため、課金処理も行わずに終了させる。
【００２４】
ステップＳ３０５において、暗号化されたスキャン画像データがサーバ装置２０２の外部記憶装置に保存される際に、中央処理装置１０１は、当該スキャン画像データの格納が正常に終了したかどうかを判断する（ステップＳ３０６）。本実施形態では、スキャン画像データの格納先が画像処理装置２０１とネットワーク２０３を介して接続されたサーバ装置２０２の外部記憶装置であるので、当該判断は、ネットワーク２０３との接続状態を監視することによって行われる。尚、スキャン画像データの格納先が画像処理装置２０１の外部記憶装置１０５である場合は、当該外部記憶装置１０５との接続状態を監視することによって行われる。尚、いずれの場合にも、データの格納エリアの破損状態も併せて監視するようにする。
【００２５】
ステップＳ３０６の判断処理において、スキャン画像データの格納が正常に終了していないと判断された場合（Ｎｏ）、中央処理装置１０１はユーザに警告を通知して（ステップＳ３１２）、本処理を終了する。ここで、ユーザへの警告の通知手段としては、表示装置１０３を利用して画面上に、スキャン画像データの格納が正常に終了していない旨を表示したり、音声によって当該趣旨を通知することができる。尚、当該警告を受けたユーザがスキャン画像データを得るためには、画像処理装置２０１の設置者や管理者等にその不具合を連絡し、適切な処理を行った後に、再度本処理を行う必要がある。
【００２６】
以上、スキャン画像データのリムーバブルメディアへの格納が正常に終了しなかった場合は、ユーザにとって、ユーザが所望する画像データの完全な成果物が得られていない可能性があるため、課金処理を行わずに終了させる。仮に、スキャン画像データのリムーバブルメディアへの格納が途中まで行われているとしても、スキャン画像データは暗号化されて格納されており、復号化するためのパスワードをユーザに通知していないので、復号化することはできない。よって、ユーザが故意に途中で格納作業を中断させたとしても、成果物も得られないが、課金処理も行わない。リムーバブルメディアに格納されている暗号化されたスキャン画像データは、復号化するためのパスワードを使用しなくても、削除することは可能であり、リムーバブルメディアをスキャン画像データが格納される前の状態に戻すことができる。
【００２７】
一方、ステップＳ３０６でスキャン画像データの格納が正常に終了したと判断した場合（Ｙｅｓ）、中央処理装置１０１は、課金装置１０８に当該有料スキャンジョブの処理を行うために必要な料金が投入されているかどうかを判断する（ステップＳ３０７）。そして、スキャン処理を行うために必要な料金が投入されていると判断した場合（Ｙｅｓ）、課金装置１０８はスキャン処理に必要な料金をそこから引き落とす（ステップＳ３０８）。そして、印刷装置１０６は、外部記憶装置１０５に格納されている暗号化された画像データを復号するために必要なパスワードを印刷する（ステップＳ３０９）。尚、ステップＳ３０８の課金処理は、例えば、パスワードを紙に印刷して出力するために印刷装置１０６が給紙を行ったタイミングで実行することにより、確実に課金を行った後にパスワードをユーザに通知することが可能となる。また、本実施形態において復号用のパスワードは、ステップＳ３０２で生成したパスワード（すなわち、暗号化処理に用いられたパスワード）と同一のものを用いることとするが、別のパスワードを用いるようにしてもよい。また、パスワードの通知は、表示装置１０３を使用して表示させてもよい。
【００２８】
ユーザは、リムーバブルメディアへ格納されたスキャン画像データを、通知されたパスワードを用いて復号することにより、所望の画像データを得ることができる。
【００２９】
一方、ステップＳ３０７でスキャン処理に必要な料金が投入されていないと判断した場合（Ｎｏ）には、料金が不足している旨をユーザに通知して、ユーザに適宜対応した動作を促す（ステップＳ３１０）。図４は、本発明の一実施形態に係る表示装置１０３で表示される料金不足が発生した際のダイアログボックスの一例を示す図である。本実施形態では、図４に示すようなダイアログボックス４０１を表示装置１０３に表示することによってユーザに料金不足を通知する。当該通知を行うことにより、画像処理装置２０１は、ユーザに対して当該ダイアログボックス４０１のＯＫボタン４０２又はキャンセルボタン４０３の押下を促す。
【００３０】
その結果、ユーザがＯＫボタン４０２を押下したと判断した場合、画像処理装置２０１は、再度ステップＳ３０７に戻ってスキャン処理に必要な料金が投入されているかどうかを判断する。また、ユーザがキャンセルボタン４０３を押下したと判断した場合、画像処理装置２０１は本処理を終了する。
【００３１】
また、ステップＳ３１０において、行ったスキャンサービスに対する対価料金が不足し、ユーザがキャンセルした場合、課金処理は行わずに終了させる。ただし、スキャン画像データを復号させるためのパスワードの通知は行わない。つまり、スキャン画像データのリムーバブルメディアへの格納は正常に終了しているが、暗号化されて格納されているので、ユーザは復号化することはできない。よって、ユーザは所望する成果物を得られないが、課金もされずに済む。リムーバブルメディアに格納されている暗号化されたスキャン画像データは、復号化するためのパスワードを使用しなくても、削除することは可能であり、リムーバブルメディアをスキャン画像データが格納される前の状態に戻すことができる。
【００３２】
以上説明したように、本実施形態に係る画像処理装置では、紙原稿をスキャンして電子化する有料スキャンジョブにおいて課金を行う場合に、スキャン画像データの格納中にメモリメディアを抜かれたり、ネットワークを切断される等の不正行為等を防止する。すなわち、これらの不正行為があった場合には、当該ジョブに対する料金を引き落とさない代わりに、暗号化された画像データを復元するためのデータ（例えば、復号用のパスワード）をユーザが得られないようにした。これによって、ユーザが、料金を支払うことなく所望の画像データをスキャンして利用してしまう、画像処理装置の管理者・設置者にとって正当な利益を得られない状況をなくすことができるようになった。また、画像データの格納前に料金を引き落とさないので、スキャン画像データの格納先が容量不足であってスキャン画像データが正常に格納できなかった場合に料金だけが引き落とされてしまうこともない。そのため、スキャン画像データが正常に格納されたことを受けて正確に料金が徴収できるという効果がある。このように本実施形態に係る上記画像処理装置は、当該画像処理装置の管理者・設置者の利益を確保しつつ、それを利用するユーザに対しても適切なサービスを提供し、料金の徴収を行うことができる。また、画像処理装置の近くに例えばコイン装置などの課金装置が設置されており、ユーザが直接料金投入やサービスの動作を行い、画像処理装置の管理者・設置者が精算作業をしないようなサービスシステムにおいても、特に効果的である。画像処理装置の管理者・設置者にとっては、無人のサービスを提供することができ、サービスを利用するユーザにとっても手軽に利用することができる。
【００３３】
以上、実施形態例を詳述したが、本発明は、例えば、システム、装置、方法、プログラム若しくは記憶媒体（記録媒体）等としての実施態様をとることが可能である。具体的には、複数の機器から構成されるシステムに適用しても良いし、また、一つの機器からなる装置に適用しても良い。
【００３４】
又、本実施形態における図に示す機能が外部からインストールされるプログラムによって、ホストコンピュータ（例えば、図１に例示するコンピュータ）により遂行されてもよい。この構成に必要なプログラムはコンピュータにセットされるＣＤ−ＲＯＭやフラッシュメモリやＦＤ等の記憶媒体に記憶させておく。或いは、ネットワークを介して外部の記憶媒体（外部のサーバ）から、当該プログラムを含む情報群を該コンピュータに直接ダウンロードし、コンピュータの内部のプログラムメモリに保存する。そのうえで、コンピュータの制御部は、当該プログラムを読出し実行することで、上述の各種本実施形態の制御を実行する。このような構成にも、本発明は適用可能である。
【００３５】
この場合、記憶媒体から読み出されたプログラムコード自体が本発明の新規な機能を実現することになり、そのプログラムコードを記憶した記憶媒体は本発明を構成することになる。
【００３６】
従って、プログラムの機能を有していれば、オブジェクトコード、インタプリタにより実行されるプログラム、ＯＳに供給するスクリプトデータ等、プログラムの形態を問わない。プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。この場合、記憶媒体から読出されたプログラムコード自体が前述した実施形態の機能を実現することになり、そのプログラムコードを記憶した記憶媒体は本発明を構成することになる。
【００３７】
その他、クライアントコンピュータのブラウザを用いてインターネットのホームページに接続し、該ホームページから本発明のコンピュータプログラムそのものをダウンロードする実施形態も本発明の範疇に含まれうる。また、圧縮され自動インストール機能を含むファイルをハードディスク等の記録媒体にダウンロードする形態も同様である。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【００３８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせてもよい。その鍵情報を使用することにより暗号化されたプログラムを実行してコンピュータにインストールさせて実現することも可能である。
【００３９】
また、プログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００４０】
さらに、記憶媒体から読み出されたプログラムコードが、機能拡張ボードや機能拡張ユニットに備わるメモリに書き込まれた後、そのプログラムコードの指示に基づき、その機能拡張ボードなどに備わるＣＰＵ等が実際の処理の一部または全部を行ってもよい。
【図面の簡単な説明】
【００４１】
【図１】本発明の一実施形態に係るデジタル複合機等の画像処理装置のハードウェア構成を示すブロック図である。
【図２】本発明の一実施形態に係る画像処理装置が接続されたネットワーク上に構築された画像処理システムのハードウェア構成を示すブロック図である。
【図３】本発明の一実施形態に係る画像処理装置を用いて有料スキャンジョブを行う際の動作手順について説明するためのフローチャートである。
【図４】本発明の一実施形態に係る画像処理装置の表示装置１０３で表示される料金不足が発生した際のダイアログボックスの一例を示す図である。
【符号の説明】
【００４２】
１０１  中央処理装置
１０２  主記憶装置
１０３  表示装置
１０４  入力装置
１０５  外部記憶装置
１０６  印刷装置
１０７  画像読み取り装置
１０８  課金装置
１０９  ネットワーク装置
１１０  電子メール装置
１１１  ファクシミリ装置
２０１  画像処理装置
２０２  サーバ装置
２０３  ネットワーク
【図１】
2007020155.tif 000003
【図２】
2007020155.tif 000004
【図３】
2007020155.tif 000005
【図４】
2007020155.tif 000006